(57)【特許請求の範囲】
【請求項１】
優先度付きの複数のキューを有する無線通信装置に応用される無線通信方法であって、
パケットを受信するステップと、
前記パケットのターゲット装置が対応する何れか１つのサービスセット識別子に基づき、前記パケットの伝送優先順位を決定するステップと、
前記パケットの前記伝送優先順位に基づき、前記パケットを何れか１つの前記キューに保存するステップと、
これら前記キュー間の前記優先順位に基づき、前記パケットを出力するステップと、を実行し、
前記パケットの前記伝送優先順位を決定するステップは、
第一操作状態において、前記パケットの前記伝送優先順位を第一設定優先順位と設定するステップを含み、
第二操作状態において、前記パケットの初期設定優先順位が第二設定優先順位より低いか否かを判断するステップ、および、前記パケットの前記初期設定優先順位が前記第二設定優先順位より低かった場合、前記パケットの前記伝送優先順位を前記第二設定優先順位と設定するステップを含むことを特徴とする無線通信方法。
【請求項２】
前記パケットの前記優先順位を決定するステップは、
前記パケットの前記初期設定優先順位が前記第二設定優先順位以上であった場合、前記パケットの前記初期設定優先順位を前記パケットの前記伝送優先順位とするステップを更に含むことを特徴とする請求項１に記載の無線通信方法。
【請求項３】
前記キューは、ＩＥＥＥ８０２．１１ｅ規格に定義される４つのアクセスクラスＡＣ＿ＶＯ、ＡＣ＿ＶＩ、ＡＣ＿ＢＥ、及びＡＣ＿ＢＫのパケットをそれぞれ保存することを特徴とする請求項１に記載の無線通信方法。
【請求項４】
優先順位を有する複数のキューと、
複数の前記キューにそれぞれ接続されており、パケットを受信し、前記パケットのターゲット装置が対応するサービスセット識別子の何れか１つに基き前記パケットの伝送優先順位を決定し、前記パケットの前記伝送優先順位に基き前記パケットを何れか１つの前記キューに保存する処理素子と、
前記キューに接続され、前記キューの前記優先順位に基づいて前記パケットを出力する伝送素子と、を備え、
前記処理素子は、
第一操作状態において、前記パケットの前記伝送優先順位を第一設定優先順位と設定し、
第二操作状態において、前記パケットの初期設定優先順位が第二設定優先順位より低いか否かを判断し、前記パケットの前記初期設定優先順位が前記第二設定優先順位より低かった場合、前記パケットの前記伝送優先順位を前記第二設定優先順位と設定することを特徴とする無線通信装置。
【請求項５】
前記処理素子は、前記パケットの前記初期設定優先順位が前記第二設定優先順位以上であった場合、前記パケットの前記初期設定優先順位を前記パケットの前記伝送優先順位とすることを特徴とする請求項４に記載の無線通信装置。
【請求項６】
前記キューは、ＩＥＥＥ８０２．１１ｅ規格に定義される４つのアクセスクラスＡＣ＿ＶＯ、ＡＣ＿ＶＩ、ＡＣ＿ＢＥ、及びＡＣ＿ＢＫのパケットをそれぞれ保存することを特徴とする請求項４に記載の無線通信装置。
【発明の詳細な説明】
【技術分野】
【０００１】
本発明は、無線通信装置、およびそれを用いる無線通信方法に関する。
【背景技術】
【０００２】
ＩＴ技術の日進月歩に伴い、各種形態のネットワーク装置が生活の中で幅広く活用されるようになった。例えば、ルーター（ｒｏｕｔｅｒ）或いは無線基地局などが挙げられる。
【０００３】
一般的には、無線基地局は無線ネットワークの構築に用いられる。典型的な無線基地局は、サービスセット識別子（ｓｅｒｖｉｃｅ  ｓｅｔ  ｉｄｅｎｔｉｆｉｅｒ、ＳＳＩＤ）を有し、無線基地局のサービスエリア（ｃｅｌｌ  ｓｉｚｅ）内のワイヤレスワークステーション（ノートパソコン等）はサービスセット識別子により無線基地局と接続する。
【先行技術文献】
【特許文献】
【０００４】
【特許文献１】特願２００６−５２１３７４号公報
【発明の概要】
【発明が解決しようとする課題】
【０００５】
公知の技術では、帯域幅（Ｂａｎｄｗｉｄｔｈ）を制限する方式により、無線基地局に接続する複数のワイヤレスワークステーションに異なるサービス品質（ｑｕａｌｉｔｙ  ｏｆ  ｓｅｒｖｉｃｅ）のネットワーク接続を提供する。しかしながら、前述した従来の技術では、ネットワークの帯域幅を有効に利用することが出来ず、ネットワークリソースの浪費に繋がった。
【０００６】
そこで、本発明者は上記の欠点が改善可能と考え、鋭意検討を重ねた結果、合理的かつ効果的に課題を解決する本発明の提案に到った。
【０００７】
本発明は、上述の従来の問題に鑑みてなされたものであり、無線通信装置、およびそれを用いる無線通信方法を提供することを主目的とする。
【課題を解決するための手段】
【０００８】
上述した課題を解決し、目的を達成するために、本発明に係る無線通信方法は、優先度付きの複数のキューを有する無線通信装置に応用される無線通信方法であり、パケットを受信するステップと、パケットのターゲット装置が対応する何れか１つのサービスセット識別子に基づき、パケットの伝送優先順位を決定するステップと、パケットの伝送優先順位に基づき、パケットを何れか１つのキューに保存するステップと、これらキュー間の優先順位に基づき、パケットを出力するステップを実行する。
【０００９】
また、パケットの伝送優先順位を決定するステップは、第一操作状態において、パケットの伝送優先順位を第一設定優先順位と設定するステップを含む。
【００１０】
また、パケットの伝送優先順位を決定するステップは、第二操作状態において、パケットの初期設定優先順位が第二設定優先順位より低いか否かを判断するステップと、パケットの初期設定優先順位が第二設定優先順位より低かった場合、パケットの伝送優先順位を第二設定優先順位と設定するステップを含む。
【００１１】
また、パケットの優先順位を決定するステップは、パケットの初期設定優先順位が第二設定優先順位以上である場合、パケットの初期設定優先順位をパケットの伝送優先順位とするステップを更に含む。
【００１２】
また、キューは、ＩＥＥＥ８０２．１１ｅ規格に定義される４つのアクセスクラスＡＣ＿ＶＯ、ＡＣ＿ＶＩ、ＡＣ＿ＢＥ及びＡＣ＿ＢＫのパケットをそれぞれ保存する。
【００１３】
本発明に係る無線通信装置は、複数のキュー、処理素子、および伝送素子を備える。キューは、優先順位をそれぞれ有する。処理素子は、キューにそれぞれ連接されており、パケットを受信し、パケットのターゲット装置が対応するサービスセット識別子の何れか１つに基づきパケットの伝送優先順位を決定し、且つパケットの伝送優先順位に基づきパケットを何れか１つのキューに保存する。伝送素子は、キューに接続され、キューの優先順位に基づいてパケットを出力する。
【００１４】
また、処理素子は、第一操作状態において、パケットの伝送優先順位を第一設定優先順位と設定する。
【００１５】
また、処理素子は、第二操作状態において、パケットの初期設定優先順位が第二設定優先順位より低いか否かを判断し、パケットの初期設定優先順位が第二設定優先順位より低かった場合、パケットの伝送優先順位を第二設定優先順位と設定する。
【００１６】
また、処理素子は、パケットの初期設定優先順位が第二設定優先順位以上であった場合、パケットの初期設定優先順位をパケットの伝送優先順位とする。
【００１７】
また、キューはＩＥＥＥ８０２．１１ｅ規格に定義される４つのアクセスクラスＡＣ＿ＶＯ、ＡＣ＿ＶＩ、ＡＣ＿ＢＥ、及びＡＣ＿ＢＫのパケットをそれぞれ保存する。
【００１８】
上述したように、管理者は、前述の無線基地局の複数のサービスセット識別子に対し異なる優先順位を設定し、異なるサービスセット識別子に対応するパケットを異なる優先順位に基づいて伝送する。これにより、有效的なネットワークサービスの品質管理を実現することができる。
【図面の簡単な説明】
【００１９】
【図１】本発明の一実施形態による無線通信装置を有するネットワークシステムを示す模式図である。
【図２】本発明の一実施形態による無線通信装置を示す模式図である。
【図３】本発明の一実施形態による無線通信方法を示すフローチャートである。
【発明を実施するための形態】
【００２０】
本発明における好適な実施形態について、添付図面を参照して説明する。尚、以下に説明する実施形態は、特許請求の範囲に記載された本発明の内容を限定するものではない。また、以下に説明する構成の全てが、本発明の必須要件であるとは限らない。
【００２１】
本明細書中で使用する『電気的接続』とは、２つ或いは複数の部材が相互に直接実体的或いは電気的接触を形成する、或いは相互に間接的に実体的或いは電気的接触を形成することを意味し、また『電気的接続』は２つ或いは複数の部材が相互に操作または動作することを指す。なお、本明細書に使用する『第一』、『第二』等は、順序や順位を指すものではなく、本発明に限定するものでもない。これは同様の技術用語が記述する部材や操作と区別するために用いるのみである。なお、本明細書中で使用する『備える』、『有する』等の表現は、全てオープンな用語であり、即ち具備する事を意味するが、但しこれのみには限られない。さらに、本文中で使用する『及び／或いは』とは、物事の何れか１つ或いは全ての組合せを含む。また、本明細書中で使用される用語（ｔｅｒｍｓ）は特別に説明するもの以外は、通常本分野で使用されるか、または本文に記載した内容の一般的な意義を示す。本明細書の説明に用いられる用語は以下または本明細書の別項で説明し、本分野に習熟する技術者に対する本発明の技術的特徴の理解を促す。
【００２２】
（一実施形態）
本発明の一実施形態による無線通信装置は、複数のサービスセット識別子（ｓｅｒｖｉｃｅ  ｓｅｔ  ｉｄｅｎｔｉｆｉｅｒ、ＳＳＩＤ）を有する無線基地局に適用する。無線基地局はアクセスポイント（ａｃｃｅｓｓ  ｐｏｉｎｔ）でも良いがこれに限定されず、無線信号及びワイヤレスワークステーション（例えばノートパソコン等）を用いてデータ伝送を行うものである。以下の項では、ＩＥＥＥ８０２．１１ｅ規格に符合する複数のサービスセット識別子を有する無線基地局を例に挙げ説明するが、但し本発明はこれに限定されない。
【００２３】
図１と図２を参照しながら、一実施形態を説明する。図１は本発明の一実施形態による複数のサービスセット識別子を有する無線基地局１００と無線基地局１００に接続されるワークステーションＷＳ１乃至ＷＳ６を含むネットワークシステムの概略図である。図２は本発明の一実施形態による複数のサービスセット識別子を有する無線基地局１００の概略図である。ちなみに、以下の項では簡潔に説明するため、複数のサービスセット識別子を有する無線基地局１００を無線基地局１００と呼称する。
【００２４】
図１と図２のように、本実施形態では、ワイヤレスワークステーションＷＳ１乃至ＷＳ６は無線基地局１００のサービスセット識別子により無線基地局１００に接続される。例を挙げると、グループＧ１中のワイヤレスワークステーションＷＳ１及びワイヤレスワークステーションＷＳ２は無線基地局１００の第一サービスセット識別子により無線基地局１００に接続され、グループＧ２中のワイヤレスワークステーションＷＳ３及びワイヤレスワークステーションＷＳ４は無線基地局１００の第二サービスセット識別子により無線基地局１００に接続され、グループＧ３中のワイヤレスワークステーションＷＳ５及びワイヤレスワークステーションＷＳ６は無線基地局１００の第三サービスセット識別子により無線基地局１００に接続される。
【００２５】
ワイヤレスワークステーションＷＳ１乃至ＷＳ６の点では、ワイヤレスワークステーションＷＳ１及びワイヤレスワークステーションＷＳ２は無線基地局１００の第一仮想無線基地局（第一サービスセット識別子に対応）に接続されたと見做され、ワイヤレスワークステーションＷＳ３及びワイヤレスワークステーションＷＳ４は無線基地局１００の第二仮想無線基地局（第二サービスセット識別子に対応）に接続されたと見做され、ワイヤレスワークステーションＷＳ５及びワイヤレスワークステーションＷＳ６は無線基地局１００の第三仮想無線基地局（第三サービスセット識別子に対応）に接続されたと見做される。
【００２６】
本実施形態では、第一仮想無線基地局、第二仮想無線基地局及び第三仮想無線基地局とグループＧ１、グループＧ２及びグループＧ３との間には各自異なる暗号化方式を有する。
【００２７】
また、ワイヤレスワークステーションＷＳ１乃至ワイヤレスワークステーションＷＳ６と無線基地局１００との間は、同じ周波数帯域（ｆｒｅｑｕｅｎｃｙ  ｂａｎｄ）により接続されるが、但しこの限りではない。
【００２８】
すなわち、上述のワイヤレスワークステーションＷＳ１乃至ワイヤレスワークステーションＷＳ６の数量は例示に過ぎず、ワイヤレスワークステーションＷＳ１乃至ワイヤレスワークステーションＷＳ６と無線基地局１００との間の接続関係も例示に過ぎず、本発明は上述の実施形態に制限されない。このほか、ワイヤレスワークステーションＷＳ１乃至ワイヤレスワークステーションＷＳ６はノートパソコン、携帯電話、タブレット端末等無線接続機能を有する電子装置である。
【００２９】
他の実施形態では、無線基地局１００の管理者はワイヤレスワークステーションＷＳ３乃至ワイヤレスワークステーションＷＳ６の帯域幅を制限し、ワイヤレスワークステーションＷＳ１及びワイヤレスワークステーションＷＳ２の接続品質を保証する。しかしながら、前述の方法は、ワイヤレスワークステーションＷＳ１及びワイヤレスワークステーションＷＳ２がデータ伝送を行なっていない場合、ワイヤレスワークステーションＷＳ３乃至ワイヤレスワークステーションＷＳ６は特定の伝送速度に制限され、有効的に全ての帯域幅を利用できず、帯域幅の浪費に繋がる。
【００３０】
そこで、本実施形態では、無線基地局１００は以下の項で説明する技術手段により上述の問題を解決する。
【００３１】
図２に示すように、本実施形態では、無線基地局１００は入力キュー１１０、ルーター１２０、処理素子１３０、キューモジュール１４０、及び伝送素子１５０を備える。本実施形態では、入力キュー１１０はルーター１２０に電気的に接続され、ルーター１２０は処理素子１３０に電気的に接続され、処理素子１３０はキューモジュール１４０に電気的に接続され、キューモジュール１４０は伝送素子１５０に電気的に接続される。
【００３２】
なお、入力キュー１１０はメモリー等の記憶装置であるが、但しこれに限定されない。ルーター１２０及び処理素子１３０は１つ或いは複数の中央処理装置、マイクロプロセッサ、プログラマブルロジックデバイス（ｐｒｏｇｒａｍｍａｂｌｅ  ｌｏｇｉｃ  ｄｅｖｉｃｅ、ＰＬＤ）、書き換え可能ゲートアレイ（ｆｉｅｌｄ−ｐｒｏｇｒａｍｍａｂｌｅ  ｇａｔｅ  ａｒｒａｙ、ＦＰＧＡ）等の演算装置であるが、但しこれらに限定されない。このほか、他の実施形態では、処理素子１３０の操作は上述の演算装置が実行する無線基地局１００のドライバ中のスクリプトにより実行される。キューモジュール１４０はメモリー等の記憶装置であるが、但しこの限りではない。伝送素子１５０は電気回路であるが、但しこれに限定されない。このほか、実施形態によると、キューモジュール１４０及び伝送素子１５０は同一の実体的な無線ネットワークインターフェースカード（ｗｉｒｅｌｅｓｓ  ｎｅｔｗｏｒｋ  ｉｎｔｅｒｆａｃｅ  ｃａｒｄ）に設置されるが、但しこれのみではない。
【００３３】
本実施形態では、キューモジュール１４０は複数のキュー１４２、キュー１４４、キュー１４６、及びキュー１４８を備える。キュー１４２、キュー１４４、キュー１４６、及びキュー１４８の間には優先順位（図２の参照）を有する。例えば、キュー１４２の優先順位がキュー１４４の優先順位より高く、キュー１４４の優先順位がキュー１４６の優先順位より高く、キュー１４６の優先順位がキュー１４８の優先順位より高い場合、キュー１４２中のパケットが優先的に出力され、キュー１４２中にパケットが存在しない場合、キュー１４４中のパケットが出力され、以下同様に続く。
【００３４】
即ち、キューモジュール１４０中のキューの個数、キュー１４２、キュー１４４、キュー１４６、及びキュー１４８の間の優先順位は実際の需要に合わせて調整でき、上述の実施形態に限られるわけではない。
【００３５】
また、キュー１４２、キュー１４４、キュー１４６、及びキュー１４８はそれぞれＩＥＥＥ８０２．１１ｅに定義される４つのアクセスカテゴリ（ａｃｃｅｓｓ  ｃａｔｅｇｏｒｙ）ＡＣ＿ＶＯ、ＡＣ＿ＶＩ、ＡＣ＿ＢＥ、ＡＣ＿ＢＫに対応するが、但し上述の実施形態に限定されない。即ち、キュー１４２、キュー１４４、キュー１４６、及びキュー１４８はアクセスカテゴリＡＣ＿ＶＯ、ＡＣ＿ＶＩ、ＡＣ＿ＢＥ、ＡＣ＿ＢＫとして設定されるパケットをそれぞれ保存する。
【００３６】
本実施形態では、入力キュー１１０はワイドエリアネットワーク１０から送信されるパケットを受信し、受信したパケットをルーター１２０に伝送する。
【００３７】
ルーター１２０は入力キュー１１０から送信されるパケットを受信し、パケットのパスルーティングを判断して設定する。その後、ルーター１２０は設定されたパスルーティングのパケットを処理素子１３０に伝送する。本実施形態では、ルーター１２０は入力キュー１１０から送信されたパケットがどのサービスセット識別子に対応するワイヤレスワークステーションに伝送するか判断し、パケットのパスルーティングを設定する。
【００３８】
また、本実施形態では、ルーター１２０はネットワークアドレス変換（ｎｅｔｗｏｒｋ  ａｄｄｒｅｓｓ  ｔｒａｎｓｌａｔｉｏｎ、ＮＡＴ）装置を備え、パケットの行き先アドレス（ｄｅｓｔｉｎａｔｉｏｎ  ａｄｄｒｅｓｓ）のフィールド（ｆｉｅｌｄ）のパブリックＩＰ（ｉｎｔｅｒｎｅｔ  ｐｒｏｔｏｃｏｌ）アドレス（ｐｕｂｌｉｃ  ＩＰ  ａｄｄｒｅｓｓ）をプライベートＩＰアドレス（ｐｒｉｖａｔｅ  ＩＰ  ａｄｄｒｅｓｓ）へと変換する。
【００３９】
処理素子１３０はルーター１２０から送信されるパケットを受信し、パケットのターゲット装置（即ち、パケットが伝送されるワイヤレスワークステーション）が対応するサービスセット識別子に基づき、パケットの伝送優先順位を決定する。その後、処理素子１３０はパケットの伝送優先順位に基づき、パケットをキューモジュール１４０中の複数のキュー１４２、キュー１４４、キュー１４６、及びキュー１４８の何れか１つに保存する。
【００４０】
処理素子１３０はルーター１２０から送信されるパケットをアクセスカテゴリＡＣ＿ＶＯ、ＡＣ＿ＶＩ、ＡＣ＿ＢＥ、ＡＣ＿ＢＫの何れか１つに設定し、パケットをキュー１４２、キュー１４４、キュー１４６、及びキュー１４８の何れか１つに保存する。
【００４１】
例えば、パケットのターゲット装置がワイヤレスワークステーションＷＳ１である場合、処理素子１３０はパケットの伝送優先順位を最高に設定し（例えば、パケットをアクセスカテゴリＡＣ＿ＶＯに設定する）、パケットを優先順位が最高のキュー（例えばキュー１４２）に保存する。また、パケットのターゲット装置がワイヤレスワークステーションＷＳ５である場合、処理素子１３０はパケットの伝送優先順位を最低に設定し（例えば、パケットをアクセスカテゴリＡＣ＿ＢＫに設定する）、パケットを優先順位が最低のキュー（例えば、キュー１４８）に保存する。
【００４２】
伝送素子１５０はキュー１４２、キュー１４４、キュー１４６、及びキュー１４８間の優先順位に基づき、キュー１４２、キュー１４４、キュー１４６、及びキュー１４８に保存されるパケットをパケットのターゲット装置に出力する。
【００４３】
上述の操作により、管理者は無線基地局１００の複数のサービスセット識別子に対応するパケットの伝送優先順位を設定し、異なるグループ（例えば、グループＧ１乃至グループＧ３）のワイヤレスワークステーション（例えば、ＷＳ１乃至ＷＳ６）に伝送するパケットを異なる優先順位に基づいて伝送する（図１と図２の参照）。これにより、有效的なネットワークサービス品質管理を実現する。
【００４４】
このほか、上述の実施形態のように、キュー１４２、キュー１４４、キュー１４６、及びキュー１４８はＩＥＥＥ８０２．１１ｅに定義される４つのアクセスカテゴリＡＣ＿ＶＯ、ＡＣ＿ＶＩ、ＡＣ＿ＢＥ、ＡＣ＿ＢＫにそれぞれ対応し、無線基地局１００がＩＥＥＥ８０２．１１ｅのフレームワークに符合する場合、パケットの出力の優先順位を決定する。このため、本発明によるネットワークサービス品質管理が現在のネットワークフレームワークに容易に応用可能になる。
【００４５】
さらに、無線基地局１００のネットワークサービス品質管理により弾力性を持たせるため、処理素子１３０がパケットの伝送優先順位を設定する為の異なるモードを有する。
【００４６】
例えば、第一操作状態（例えば強制（ｆｏｒｃｅ）操作）にある場合、処理素子１３０はルーター１２０から送信されるパケットのターゲット装置が対応するサービスセット識別子に基き、パケットを第一設定優先順位に直接設定する。注意点は、第一設定優先順位は管理者がサービスセット識別子に基づき定義出来る点である。異なるサービスセット識別子は異なる第一設定優先順位を定義する。
【００４７】
第二操作状態（例えば、昇格（ｐｒｏｍｏｔｅ）操作）である場合、処理素子１３０はルーター１２０から送信されるパケットのターゲット装置が対応するサービスセット識別子に基き、パケットの初期設定優先順位が第二設定優先順位より低いか判断し、パケットの初期設定優先順位が第二設定優先順位より低い場合、パケットの伝送優先順位を第二設定優先順位に設定する。注意点は、第二設定優先順位は管理者がサービスセット識別子に基づき定義出来る点である。異なるサービスセット識別子は異なる第二設定優先順位を定義する。
【００４８】
このほか、ここで述べる初期設定優先順位とはパケットが処理素子１３０に伝送される前に伝送優先順位を有することを指す。例えば、本実施形態では、初期設定優先順位はＩＥＥＥ８０２．１１ｅのフレームワークでのパケットのアクセスカテゴリ（例えば、ＡＣ＿ＶＯ、ＡＣ＿ＶＩ、ＡＣ＿ＢＥ、ＡＣ＿ＢＫ）を指す。例を示すと、パケットが音声パケットである場合、パケットのアクセスカテゴリはＡＣ＿ＶＯとなり、パケットの初期設定優先順位はＡＣ＿ＶＯとなる。
【００４９】
本発明への理解を促す為、以下では実際の操作を例に説明する。然しながら、本発明の範囲は下述の操作例に限定されるものではない。
【００５０】
本実施形態では、無線基地局１００がコーヒーショップに設置され（図１の参照）、無線基地局１００の第一サービスセット識別子はグループＧ１のワイヤレスワークステーションＷＳ１及びワイヤレスワークステーションＷＳ２（例えば、コーヒーショップの店舗用装置）に対応し、無線基地局１００の第二サービスセット識別子はグループＧ２のワイヤレスワークステーションＷＳ３及びワイヤレスワークステーションＷＳ４（例えば、通信業者のホットスポット装置）に対応し、無線基地局１００の第三サービスセット識別子はグループＧ３のワイヤレスワークステーションＷＳ５及びワイヤレスワークステーションＷＳ６（例えばコーヒーショップの来店客個人の装置）に対応する。
【００５１】
管理者（例えば、コーヒーショップの店長）は第一サービスセット識別子に対応する操作モードを前述の強制操作に設定し、第一サービスセット識別子に対応する第一設定優先順位を例えばＡＣ＿ＶＯに設定する。さらに、管理者は第二サービスセット識別子に対応する操作モードを前述の昇格操作に設定し、第二サービスセット識別子に対応する第二設定優先順位を例えばＡＣ＿ＶＩに設定する。また、管理者は第三サービスセット識別子に対応する操作モードを前述の強制操作に設定し、第三サービスセット識別子に対応する第一設定優先順位を例えばＡＣ＿ＢＫに設定する。
【００５２】
上述の設定により、コーヒーショップの店舗用装置に伝送されるパケットは優先順位が最高に設定され、コーヒーショップの来店客個人の装置に伝送されるパケットは優先順位が最低に設定され、帯域幅を占有しないようにする。通信業者のホットスポット装置に伝送されるパケットの初期設定優先順位がＡＣ＿ＶＩ（即ち２番目に高い優先順位）より低い場合、伝送優先順位はＡＣ＿ＶＩに昇格し、初期設定優先順位がＡＣ＿ＶＩより低くない場合、初期設定優先順位はこのパケットの伝送優先順位になる。
【００５３】
こうすると、コーヒーショップの店舗用装置が無線データ伝送を行っている場合、パケットの伝送優先順位は最高になり、無線基地局１００から優先的に出力される。コーヒーショップの店舗用装置が無線データ伝送を行なっていない場合、通信業者及び／或いは来店客個人の装置は無線基地局１００の帯域幅を有効的に利用でき、効率の高いネットワークサービス品質管理を達成する。
【００５４】
上述の設定により、通信業者はコーヒーショップの店舗用装置から好ましいネットワークサービスを提供され、コーヒーショップに設置される無線基地局１００により昇格され、無線ネットワークをより広く構築する目的を達成する。
【００５５】
本発明の一実施形態による無線通信方法は図２の無線基地局１００と同じか相似する無線基地局に応用されるため簡潔に説明する。以下では本発明の実施形態に基づき、図２の無線基地局１００を例に無線通信方法を説明するが、但し本発明はこの応用に限定されるわけではない。
【００５６】
このほか、本実施方式に記載する上述の無線通信方法のステップは、特に順序を説明するもの以外は皆実際の需要に合わせて順序を調整でき、同時に或いは部分的に同時に実行可能である。
【００５７】
図３は本発明の一実施形態による複数のサービスセット識別子を有する無線基地局を確保するサービス品質の無線通信方法３００（略語は無線通信方法３００）のフローチャートである。本実施形態では、無線通信方法３００は以下のステップを含む  （図１ないし図３の参照）。
【００５８】
ステップ１では、処理素子１３０は入力キュー１１０及びルーター１２０によりワイドエリアネットワーク１０から送信されるパケットを受信する。ここでは、ルーター１２０のパケットのパスルーティングの設定に関する具体的な細かな設定については前述の実施態様を参考にし、更なる詳述は省く。
【００５９】
ステップ２では、処理素子１３０はパケットのターゲット装置（即ち、パケットが伝送されるワイヤレスワークステーション）が対応するサービスセット識別子に基づき、パケットの伝送優先順位を決定する。本実施形態では、処理素子１３０はパケットをＩＥＥＥ８０２．１１ｅに定義されるアクセスカテゴリＡＣ＿ＶＯ、ＡＣ＿ＶＩ、ＡＣ＿ＢＥ、ＡＣ＿ＢＫの何れか１つに設定する。
【００６０】
また、実施形態では、処理素子１３０は異なる操作状態に合わせてパケットの伝送優先順位を選択的に設定する。即ち、第一操作状態では、処理素子１３０はパケットのターゲット装置が対応するサービスセット識別子に基づきパケットを第一設定優先順位に直接設定する。第二操作状態では、処理素子１３０はパケットのターゲット装置が対応するサービスセット識別子に基づきパケットの初期設定優先順位が第二設定優先順位より低いか判断し、パケットの初期設定優先順位が第二設定優先順位より低い場合、パケットの伝送優先順位を第二設定優先順位に設定する。
【００６１】
第一設定優先順位、第二設定優先順位及び初期設定優先順位の具体的は詳細については前述の実施態様を参照にし、更なる詳述は省く。
【００６２】
ステップ３では、パケットの伝送優先順位を設定した後、処理素子１３０はパケットの伝送優先順位に基づきパケットをキュー１４２、キュー１４４、キュー１４６、及びキュー１４８の内の何れか１つに保存する。キュー１４２、キュー１４４、キュー１４６、及びキュー１４８の具体的な詳細については前述の実施態様を参照にし、更なる詳述は省く。
【００６３】
ステップ４では、伝送素子１５０はキュー１４２、キュー１４４、キュー１４６、及びキュー１４８間の優先順位に対応してパケットをパケットのターゲット装置に出力する。
【００６４】
上述の操作により、管理者は無線基地局１００の複数のサービスセット識別子に対応するパケットの伝送優先順位を設定し、異なるグループ（例えば、グループＧ１乃至グループＧ３）のワイヤレスワークステーション（例えば、ＷＳ１乃至ＷＳ６）に伝送されるパケットを異なる優先順位に基づいて伝送する。これにより、有效的なネットワークサービス品質管理を実現する。
【００６５】
このほか、上述の実施形態により、処理素子１３０は前述のパケットをＩＥＥＥ８０２．１１ｅに定義されるアクセスカテゴリＡＣ＿ＶＯ、ＡＣ＿ＶＩ、ＡＣ＿ＢＥ、ＡＣ＿ＢＫの何れか１つに設定し、無線基地局１００がＩＥＥＥ８０２．１１ｅのフレームワークに符合する場合、パケット出力の優先順位を決定し、本発明によりネットワークサービス品質管理は現在のネットワークフレームワークに容易に応用可能になる。
【００６６】
以上、本発明の実施形態について図面を参照して詳述したが、具体的な構成はこの実施形態に限られるものではなく、本発明の要旨を逸脱しない範囲の設計変更等も含まれる。
【符号の説明】
【００６７】
１０  ワイドエリアネットワーク、
１００  無線基地局（無線通信装置）、
１１０  入力キュー、
１２０  ルーター、
１３０  処理素子、
１４０  キューモジュール、
１４２  キュー、
１４４  キュー、
１４６  キュー、
１４８  キュー、
１５０  伝送素子、
Ｇ１  グループ、
Ｇ２  グループ、
Ｇ３  グループ、
ＷＳ１  ワイヤレスワークステーション、
ＷＳ２  ワイヤレスワークステーション、
ＷＳ３  ワイヤレスワークステーション、
ＷＳ４  ワイヤレスワークステーション、
ＷＳ５  ワイヤレスワークステーション、
ＷＳ６  ワイヤレスワークステーション、
３００  無線通信方法、
Ｓ１  ステップ、
Ｓ２  ステップ、
Ｓ３  ステップ、
Ｓ４  ステップ。
【図１】
0005923128.tif 000002
【図２】
0005923128.tif 000003
【図３】
0005923128.tif 000004